(57)【特許請求の範囲】
【請求項１】
躯体間隙を被覆するカバー材の前端部を一方の躯体側に移動自在に載置し、後端部をスライド部材を介して他方の躯体側に連結し、スライド部材は、移動レール部材に対して躯体間隙長手方向にスライド可能に嵌合し、移動レール部材は、他方の躯体側に連結したレール受け部材に対して躯体間隙奥行き方向に移動可能なように連結した構成を有するエキスパンションジョイント。
【請求項２】
カバー材の後端部より突設した首部の先端に係合肩部を有する膨頭部を形成してスライド部材とし、該膨頭部をスライド可能に係合するよう凹陥溝部を形成して移動レール部材としてなる構成を有する請求項１に記載のエキスパンションジョイント。
【請求項３】
スライド部材と移動レール部材の係合部に躯体間隙奥行き方向のゆとり部を設けるとともに、両部材がスライド方向を回転軸として互いに適度に回転可能に係合してなる構成を有する請求項１又は２に記載のエキスパンションジョイント。
【請求項４】
移動レール部材の上側から移動レール部材及びレール受け部材を貫通して適度な長さを有する連結軸を設け、連結軸はレール受け部材に対して上下動自在としてなる構成を有する請求項１〜３のいずれかに記載のエキスパンションジョイント。
【請求項５】
レール受け部材より下方に突出した連結軸の先端部付近にストッパーを固着し、該ストッパーを連結軸の軸心と平行方向に配設したガイドに沿って上下動し得るように形成した構成を有する請求項４に記載のエキスパンションジョイント。
【発明の詳細な説明】
【０００１】
【発明の属する技術分野】
本発明は、躯体間隙を被覆するエキスパンションジョイントに関する。
【０００２】
【従来の技術】
躯体間隙を被覆するエキスパンションジョイントとして、特開２０００−３２８６７４号に開示されているものが知られている。この公報に開示されているエキスパンションジョイント５０は、図８（ａ）、（ｂ）に示すように、左右の躯体５１Ａ、５１Ｂの一方の躯体５１Ａの間隙５２側の床面に形成した支持凹部５３にカバー材５４の後端部にある連結部材５５を上下動可能に取り付け、他方の躯体５１Ｂの間隙５２側の床面に形成した凹部５６にカバー材５４の前端部を載置したものであり、地震等により左右の躯体５１Ａ、５１Ｂの間隙５２が狭くなると、図９に示すとおり、カバー材５４が上方に押し上げられ、その揺れを吸収することができるものである。
【０００３】
【発明が解決しようとする課題】
カバー材５４は、躯体５１Ａに上下動可能に取り付けてあるため、間隙５２の幅方向の動きに対しては、カバー材５４が上下動することにより対応することができるが、間隙５２の長手方向の動きに対しては、カバー材５４の前端部が躯体５１Ｂの床面上を摺動することにより対応しており、この場合、前端部と躯体５１Ｂ両側の壁面との取り合いに設計上の問題が生じていた。また、カバー材５４を水平方向に摺動可能に支持するために、受材に長孔を形成することは公知であるが、十分な長さを得るための加工の難しさと強度低下という問題があった。
【０００４】
本発明は、上記のような問題点を生じさせることなく、躯体の水平移動と上下移動とを別々な構造で吸収できるようにすることにより、加工が簡便であり、高強度で復元性に優れ、躯体変動を迅速、円滑に吸収でき、躯体状況に左右されることなく設置できるエキスパンションジョイントを提供するものである。
【０００５】
【課題を解決するための手段】
本発明は、躯体間隙を被覆するカバー材の前端部を一方の躯体側に移動自在に載置し、後端部をスライド部材を介して他方の躯体側に連結し、スライド部材は、移動レール部材に対して躯体間隙長手方向にスライド可能に嵌合し、移動レール部材は、他方の躯体側に連結したレール受け部材に対して躯体間隙奥行き方向に移動可能なように連結した構成を有するエキスパンションジョイントとした。このようにすることにより、スライド部材と移動レール部材間のスライド構造が隣接躯体の躯体間隙長手方向移動を吸収でき、移動レール部材とレール受け部材の連結構造が隣接躯体の躯体間隙奥行き方向移動を吸収できるため、各構造が別々に働き、躯体変動を迅速かつ円滑に吸収することが可能となる。
また、スライド部材、移動レール部材及びレール受け部材は、金型を一度作成すれば後は容易に作成することができるため、加工が簡便になり、また従来では受材に長孔を加工していたため、強度的にも弱くなっていたのに対し強度的にも優れたものとすることができる。
【０００６】
スライド部材は、カバー材の後端部より突設した首部の先端に係合肩部を有する膨頭部を形成した構成とするのが好ましく、移動レール部材は、該膨頭部をスライド可能に係合するように凹陥溝部を形成した構成とするのが好ましい。
このようにすれば、スライド部材の膨頭部が移動レール部材の凹陥溝部内をスライドでき、さらにスライド部材と移動レール部材が係合しているため、スライド部材が躯体間隙奥行き方向に移動しても、それとともに移動レール部材も移動することができ、上下動にも対応することができる。
【０００７】
スライド部材と移動レール部材の係合部に躯体間隙奥行き方向のゆとり部を設けるとともに、両部材がスライド方向を回転軸として互いに適度に回転可能に係合させてもよく、スライド部材と移動レール部材とが互いに回転可能に係合していれば、間隙が若干狭くなったり、カバー材の先端部が若干持ち上がったりする変動に対して、上記回転動作が即応し、後端部を持ち上げなくてもよく、安定してカバー材を支持することができる。
【０００８】
また、移動レール部材の上側から移動レール部材及びレール受け部材を貫通して適度な長さを有する連結軸を設け、連結軸はレール受け部材に対して上下動自在とすると、連結軸により躯体と上下動可能に連結し、躯体間隙奥行き方向にスムーズに移動することができるものとなる。
【０００９】
上記に加えて、レール受け部材より下方に突出した連結軸の先端部付近にストッパーを固着し、該ストッパーを連結軸の軸心と平行方向に配設したガイドに沿って上下動し得るように形成した構成としてもよい。
これにより、連結軸の先端部付近に設けたストッパーがガイドと躯体壁面間を移動するようになり、このため連結軸が傾くことなく移動でき、よってカバー材の後端部が傾くことを防ぐことができる。また、ストッパーによりカバー材の後端部が上がり過ぎるのを防止し、また躯体より脱落することも防止できる。
【００１０】
上記各部材はすべて他方の躯体の躯体間隙内に設置することができ、前端部の両側に壁面が存在してもスライド部材が自由にスライドできるため、壁面を破壊することがなく、躯体状況に左右されず設置することができる。
【００１１】
なお、「躯体間隙幅方向」は、隣接躯体が互いに接近及び離反する方向であり、「躯体間隙長手方向」は、隣接躯体が互いに水平方向に横摺れする方向であり、「躯体間隙奥行き方向」は、上記幅方向及び長手方向と直交する方向である。
【００１２】
【発明の実施の形態】
以下、図面に基づいて、本発明に係るエキスパンションジョイントの好適な実施例について説明する。
【００１３】
図１は、本発明の一実施例のエキスパンションジョイントの躯体間隙幅方向の断面図、図２は、図１のスライド部材、移動レール部材及びレール受け部材の分解斜視図、図３は、図１のレール受け部連結孔付近の拡大断面図、図４は、図１のレール受け部固定孔付近の拡大断面図、図５は、図１の間隙が狭くなった場合の動作状態を示した躯体間隙幅方向の断面図、図６は、図１のスライド部材を回転させた状態を示した拡大断面図、図７は、スライド部材及び移動レール部材の他の実施例の拡大断面図である。
【００１４】
エキスパンションジョイント１は、図１に示すように、躯体２Ａ、２Ｂの上面２Ａａ、２Ｂａ間に配設し、躯体２Ａ、２Ｂ間の間隙３を被覆するカバー材４、カバー材４の後端部と一方の躯体２Ｂとを移動可能に連結する、スライド部材５、移動レール部材６、レール受け部材７、連結軸８、ガイド９及びストッパー１０を主な構成として備えている。
【００１５】
カバー材４は、任意板体でよいが、図では内部を凹状に形成した略長方形箱型板状のカバー材本体１１の内部にコンクリートやモルタル等の充填材１２を注入し、表面はタイル、石材等の表面材１３を貼り付けて上面４ａとしている。裏面４ｂ中央部には、断面略三角形状に形成してなる躯体間隙長手方向に伸びた長尺状の支持部材１４を設けている。
【００１６】
図２及び図３に示すように、スライド部材５は、平板の固定面５ａより下方に突設した首部１５の先端に断面略半月状の膨頭部１６を形成し、その前後両側に係止肩部１７ａ、１７ｂを有する形状をしている。スライド部材５は、カバー材４の後端部に固定したフレーム材１８の裏面１８ａに、固定面５ａを合わせ、フレーム材１８側からボルトなどにより固定されている。
スライド部材５の長さは、特に限定するものではないが、同一長さのスライド部材５を断続的に一列に取り付けることができる。
【００１７】
移動レール部材６は、断面略逆台形状の上面６ａを凹陥させ、スライド部材５をスライド嵌合可能とする断面略半月状の凹陥溝部１９を設け、凹陥溝部１９の上側には、内方に向かい突設した嵌合片２０ａ、２０ｂを設けている。この嵌合片２０ａ、２０ｂは、一方の嵌合片２０ａが、他方の嵌合片２０ｂよりも上側（スライド部材５側）に食い違い状に位置するよう形成し、膨頭部１６を嵌合させた状態において、嵌合片２０ａと係止肩部１７ａとの間にゆとり部２０を設けるようにする。凹陥溝部１９の内側下方にはボルト頭が納まるような凹部を形成し、その底面に連結軸８を挿通できる移動レール部連結孔２１が穿設されており、カバー材４に対して少なくとも２ヶ所は設け、カバー材４が回転しないようにする。
移動レール部材６の長さは、特に限定するものではないが、スライド部材５と略同長とし、スライド部材５と二分の一ピッチづつずれて嵌合するようにすることができる。
【００１８】
レール受け部材７は、断面略矩形状で、その上面７ａを移動レール部材６を受けられるように略逆台形状に凹陥させた受け部２２を形成し、受け部２２の両内壁面２２ａを内下方すぼまりに傾斜させ、傾斜面に長手方向に突条を複数条並設させている。また、受け部２２の内側下方には、ボルト頭が納まるような凹部を形成し、その底面にレール受け部材７を固定するためのレール受け部固定孔２３及び連結軸８を挿通できるレール受け部連結孔２４が穿設されている。
レール受け部材７を躯体に取り付ける際は、図４に示すように、断面略Ｌ字形の固定部材２５の取付面２５ａを躯体２Ｂの壁面２Ｂｂに取り付け、固定面２５ｂを躯体２Ｂの壁面２Ｂｂより間隙３側に突設させ、固定面２５ｂにレール受け部材７を載置し、レール受け部固定孔２３及び固定面２５ｂに穿設した固定部固定孔２６にボルトを挿通してレール受け部材７を締結固定する。この際、カバー材４の後端部が躯体２Ｂの壁面２Ｂｂよりも間隙３側に位置するよう設置する。
レール受け部材７の長さは、特に限定するものではないが、移動レール部材６よりも短く形成し、これを断続的に一列に配設することができる。
【００１９】
上記、スライド部材５、移動レール部材６及びレール受け部材７は、ステンレスを折曲形成することにより設けてもよいが、精度良く、バリが生じにくく形成し、強度的にも優れたものとするためには、アルミ押し出し形成とし、スライド部材５が移動レール部材６の凹陥溝部１９内をスライドしやすくし、移動レール部材６もレール受け部材７の受け部２２内に合わせやすくするのが好ましい。
【００２０】
連結軸８は、長ボルト８ａ、連結筒２８を用いており、長ボルト８ａは、移動レール部材６の上側から裏面下方に突設するように、移動レール部材６の移動レール部連結孔２１、レール受け部材７のレール受け部連結孔２４及び固定部材２５の固定部連結孔２７に挿通する。そして、長ボルト８ａの下方から円筒状の連結筒２８を長ボルト８ａに外装し、連結筒２８の上端を移動レール部材６の底面外側に突き当て、ナット８ｂを締めて連結筒２８を固定し、さらにその下にストッパー１０を挿装して、ナット８ｃによりストッパー１０を固定している。なお、移動レール部連結孔２１、レール受け部連結孔２４及び固定部連結孔２７は、連結筒２８を挿通できる大きさに穿設されている。
【００２１】
ガイド９は、断面略Ｌ字形の板材で、上面９ａを固定部材２５の固定面２５ｂの裏面に固定し、躯体２Ｂの壁面２Ｂｂと平行となるようガイド面９ｂを設置して、その下端を躯体２Ｂの壁面２Ｂｂに向け折曲してストッパー支持部２９を形成している。
【００２２】
ストッパー１０は、下方に開口した断面略コの字状の板材であり、上面１０ａには連結軸８を挿通する取付孔を穿設してある。ストッパー１０の幅は、ガイド９のガイド面９ｂ及び固定部材２５の取付面２５ａ間の間隙よりも若干幅狭とし、この間隙を移動できるようにしてある。ストッパー１０は、通常時に下端面１０ｂがガイド９のストッパー支持部２９に当接する位置に固定するようにする。
【００２３】
以下に、エキスパンションジョイント１の動作について説明する。
図１に示すように、通常時、カバー材４は、間隙３を被覆し、移動レール部材６がレール受け部材７の受け部２２内に保持されている。
【００２４】
間隙３が躯体間隙幅方向に狭くなるような変動が生じた場合は、図５に示すように、カバー材４の裏面の略中央に固定した支持部材１４により、カバー材４が躯体２Ａの上面２Ａａに持ち上げられる。そして、カバー材４の後端部に設けたスライド部材５及び移動レール部材６も上方に移動し、移動レール部材６の裏面から下方に突設した連結軸８の下方寄りにあるストッパー１０もこれとともに上方に移動する。この際、ストッパー１０は、ガイド９のガイド面９ｂと固定部材２５の取付面２５ａ間を移動することとなり、ストッパー１０の幅は、この間隙よりも若干幅狭にしてあるので、移動レール部材６が上方に移動中に振動等により傾いたとしても、ストッパー１０がこの間隙に挟まれ、移動レール部材６が傾くことを防止している。このため、上方にスムーズに移動することができ、カバー材４の後端部を安定して支えることができる。
【００２５】
ストッパー１０は、さらに上方に移動すると固定部材２５の裏面に当接してカバー材４の後端部が上方に移動するのを規制し、連結軸８がレール受け部材７及び固定部材２５から外れて、脱落することも防止している。
ストッパー１０は、平板形状としても同様の効果が得られるが、安定してカバー材４の後端部を支持するためには図に示すように、断面略コの字状に折曲した方がよい。
【００２６】
躯体２Ａ、２Ｂが躯体間隙長手方向に変動した場合は、スライド部材５と移動レール部材６とがスライド可能に嵌合され、カバー材４の後端部が間隙３内に設置されているため、カバー材４が、躯体２Ａ、２Ｂのいずれの壁面に突き当たって損傷を生じさせることもなく両躯体が躯体間隙長手方向に互いに自由に移動することができ、連結部分にかかる負荷を軽減させ、躯体間隙幅方向を合わせてあらゆる水平方向の変動に対してスムーズに動くことができ、変動を吸収できるエキスパンションジョイント１となる。
なお、上記実施例では、スライド部材５に膨頭部１６を形成し、移動レール部材６に凹陥溝部１９を設けているが、これとは反対に、スライド部材５に凹陥溝部１９、移動レール部材６に膨頭部１６を形成してもよく、同様な効果が得られる。同様に他の部分の変更も可能である。
【００２７】
そして、移動レール部材６が上方に移動してから元の位置に戻る場合は、レール受け部材７の受け部２２の内壁面２２ａを内方すぼまりに傾斜させてあるため、移動レール部材６が上方から戻ってきた際は、内壁面２２ａにより中心寄りに案内され定位置に戻り、移動レール部材６を確実に保持することができる。
【００２８】
移動レール部材６の嵌合片２０ａと他の嵌合片２０ｂとを食い違い状に形成して、スライド部材５と移動レール部材６の係合部にゆとり部２０を設けたことにより、スライド部材５が、図６に示すように、Ａの位置に回転することができ、後端部は接地した状態で、カバー材４の先端部が若干上方へ移動することも可能となる。従来では、カバー材４が少しでも上方へ移動した場合は、カバー材４の後端部も上方に移動することとなり、カバー材４が不安定となることがあったが、これにより若干カバー材４の先端部が上方へ移動した場合には、スライド部材５が回転すればよく、後端部が接地した状態で変動を吸収することができ、僅かな変動では後端部を安定させてカバー材４を支持することができる。スライド部材５と移動レール部材６の回転構造は、図７に示すように、嵌合片２０ａ、２０ｂともに同じ高さに設定し、スライド部材５の先端部側の肩部１７ａを、他方の肩部１７ｂよりも低く（レール受け部材７側）なるよう形成して、ゆとり部２０を設けても同じ効果が得られる。
【００２９】
本発明の設置場所は、上記のように床面だけでなく壁面に使用してもよく、またスプリング等により下方に落ちないように支持して設置すれば天井にも使用することができるものである。
【００３０】
【発明の効果】
本発明のエキスパンションジョイントは、スライド部材、移動レール部材及びレール受け部材を介して躯体壁面と連結することにより、強度的にも優れ、あらゆる水平方向の動きに対してスムーズに動くことができ、スライド部材と移動レール部材の係合部にゆとり部を設けることにより、回転可能となり、カバー材の先端部が若干持ち上がってもカバー材の後端部を安定して支持することができ、連結軸、ガイド及びストッパーを設けることにより、後端部が持ち上がる際にカバー材が傾くことを防止し、脱落を防ぐことができるものである。
【図面の簡単な説明】
【図１】本発明の一実施例のエキスパンションジョイントの躯体間隙幅方向の断面図である。
【図２】図１のスライド部材、移動レール部材及びレール受け部材の分解斜視図である。
【図３】図１のレール受け部連結孔付近の拡大断面図である。
【図４】図１のレール受け部固定孔付近の拡大断面図である。
【図５】図１の間隙が狭くなった場合の動作状態を示した躯体間隙幅方向の断面図である。
【図６】図１のスライド部材を回転させた状態を示した拡大断面図である。
【図７】スライド部材及び移動レール部材の他の実施例の拡大断面図である。
【図８】（ａ）は、従来の実施例の概略断面図、（ｂ）は、従来の実施例の概略平面図である。
【図９】従来の実施例の間隙が狭くなった場合の動作状態を示した概略断面図である。
【符号の説明】
１  エキスパンションジョイント
２Ａ、２Ｂ  躯体
２Ａａ、２Ｂａ  上面
２Ｂｂ  壁面
３  間隙
４  カバー材
４ａ  上面
４ｂ  裏面
５  スライド部材
５ａ  固定面
６  移動レール部材
６ａ  上面
７  レール受け部材
７ａ  上面
８  連結軸
８ａ  長ボルト
８ｂ  ナット
８ｃ  ナット
９  ガイド
９ａ  上面
９ｂ  ガイド面
１０  ストッパー
１０ａ  上面
１０ｂ  下端面
１１  カバー材本体
１２  充填材
１３  表面材
１４  支持部材
１５  首部
１６  膨頭部
１７ａ、１７ｂ  係止肩部
１８  フレーム材
１８ａ  裏面
１９  凹陥溝部
２０  ゆとり部
２０ａ、２０ｂ  嵌合片
２１  移動レール部連結孔
２２  受け部
２２ａ  内壁面
２３  レール受け部固定孔
２４  レール受け部連結孔
２５  固定部材
２５ａ  取付面
２５ｂ  固定面
２６  固定部固定孔
２７  固定部連結孔
２８  連結筒
２９  ストッパー支持部
５０  エキスパンションジョイント
５１Ａ、５１Ｂ  躯体
５２  間隙
５３  支持凹部
５４  カバー材
５５  連結部材
５６  凹部
【図１】
0003597828.tif 000002
【図２】
0003597828.tif 000003
【図３】
0003597828.tif 000004
【図４】
0003597828.tif 000005
【図５】
0003597828.tif 000006
【図６】
0003597828.tif 000007
【図７】
0003597828.tif 000008
【図８】
0003597828.tif 000009
【図９】
0003597828.tif 000010